(57)【要約】  電気又は空気圧作動式流量制御弁（２６）を用いて動作させることができる流量制御弁アセンブリ（１０）は、流体供給路（４４）、流体排出路（５２）、及び流体バイパス路（５４）を有する弁体を供えている。パイロット作動式リリーフ弁（１６）が流体バイパス路中に設けられ、そこでパイロット作動式リリーフ弁は流体バイパス路を塞ぎ、パイロット作動式リリーフ弁の上流に圧力を生じ、パイロット作動式リリーフ弁の上流の流体バイパス路に流体的に連通しているパイロット管路（４２）を有する別のパイロット作動式装置（４０）を動作させる。流体排出路と交差する流体バイパス路中のベンチュリノズル（２４）を介して流れる流体が、流体排出路中の圧力を下げる。
2007502957.tif 000002
【特許請求の範囲】
【請求項１】
流体流量制御弁アセンブリであって、
流体供給路、流体排出路及び流体バイパス路を有する弁体と、
前記流体バイパス路中に配置され、上流側端部と下流側端部とを有するベンチュリノズルであって、該ベンチュリノズル中を流れる流体が前記流体排出路中の圧力を下げるように、該ベンチュリノズルの前記下流側端部の近くで前記流体排出路が前記流体バイパス路と交差するベンチュリノズルと、
前記流体バイパス路中に配置されたパイロット作動式リリーフ弁であって、該パイロット作動式リリーフ弁が前記流体バイパス路を遮断して、該パイロット作動式リリーフ弁の上流に圧力を生じ、該パイロット作動式リリーフ弁の上流で前記流体バイパス路と流体的に連通しているパイロット管路を有する別のパイロット作動式装置を動作させるパイロット作動式リリーフ弁とを備えたことを特徴とする流体流量制御弁アセンブリ。
【請求項２】
請求項１に記載の流体流量制御弁アセンブリであって、前記パイロット作動式リリーフ弁が前記流体バイパス路中の前記ベンチュリノズルの上流に配置され、前記パイロット作動式リリーフ弁の上流の流体圧力が所定のレベルを超えたときに、前記パイロット作動式リリーフ弁が開いて前記ベンチュリノズル中を流体が流れることができるようにすることを特徴とする流体流量制御弁アセンブリ。
【請求項３】
請求項１に記載の流体流量制御弁アセンブリであって、前記弁体が少なくとも二つの部分で構成され、該二つの部分のうちの一つに前記ベンチュリノズルが配置され、他の一つに前記パイロット作動式リリーフ弁が配置されること特徴とする流体流制御弁アセンブリ。
【請求項４】
請求項１に記載の流体流量制御弁アセンブリであって、前記弁体がインターフェース面を有し、前記流体供給路が、該インターフェース面上に開口した出口端部を有し、前記流体排出路が、前記インターフェース面上に開口した入口端部を有し、前記流体バイパス路が、前記インターフェース面上に開口した入口を有することを特徴とする流体流量制御弁アセンブリ。
【請求項５】
請求項１に記載の流体流量制御弁アセンブリであって、供給管路を通る流体の流れを制御する多位置制御弁を有し、装填位置において、前記流体供給路が前記供給管路に流体的に連通して流体を前記供給管路に供給し、リセット位置において、供給管路を通る流体流と前記流体バイパス路とを遮断し、除去位置において、前記流体供給路が前記パイロット作動式リリーフ弁の上流で前記バイパス路に流体的に連通して、前記流体排出路が前記供給管路に流体的に連通し、前記流体供給路中を流れる流体を、前記パイロット作動式リリーフ弁を通り、また前記ベンチュリ入口を通ってベンチュリノズル中に誘導し、前記流体排出路を介して前記供給管路から流体を汲み出すことを特徴とする流体流量制御弁アセンブリ。
【請求項６】
請求項５に記載の流体流量制御弁アセンブリであって、パイロット管路を有する前記別のパイロット作動式装置は、前記流体バイパス路に流体的に連通しているパイロット管路を有するパイロット作動式装填保持逆止め弁であって、前記多位置制御弁が前記除去位置にあるときに、前記装填保持逆止め弁が、前記逆止め弁パイロット管路中の流体圧力が所定のレベルより大きくなるまで前記供給管路から流体が流れ出すことを遮断することを特徴とする流体流量制御弁アセンブリ。
【請求項７】
請求項６に記載の流体流量制御弁アセンブリであって、前記パイロット作動式リリーフ弁が、該パイロット作動式リリーフ弁の上流で前記流体バイパス路と流体的に連通しているパイロット管路を有し、該パイロット作動式リリーフ弁は、該パイロット作動式リリーフ弁の前記パイロット管路中の流体圧力が所定のレベルに達したときに開き、前記パイロット作動式装填保持逆止め弁の前記パイロット管路中の流体圧力の前記所定のレベルが、前記パイロット作動式リリーフ弁の前記パイロット管路中の流体圧力の前記所定のレベルより低く、その結果、前記パイロット作動式装填保持逆止め弁が前記パイロット作動式リリーフ弁より前に開くことを特徴とする流体流量制御弁アセンブリ。
【請求項８】
供給管路を通りシリンダに流れる流体流を制御するための流体流量制御弁アセンブリであって、
流体供給路、流体排出路及び流体バイパス路を有する弁体と、
前記供給管路中に配置され、前記流体バイパス路と流体的に連通しているパイロット管路を有するパイロット作動式装填保持逆止め弁であって、多位置制御弁が除去位置にあるとき、前記逆止め弁パイロット管路中の流体圧力が所定のレベルより大きくなるまで、前記装填保持逆止め弁が、流体が前記供給管路から流出することを遮断するパイロット作動式装填保持逆止め弁と、
前記流体バイパス路中に配置されたパイロット作動式リリーフ弁であって、該流体バイパス路を遮断して、前記パイロット作動式リリーフ弁の上流に圧力を生じさせ、前記パイロット作動式装填保持逆止め弁を動作させるパイロット作動式リリーフ弁と、
前記供給管路中の流体の流れを制御する前記多位置制御弁であって、装填位置にあるときに、前記流体供給路が前記供給管路と流体的に連通して該供給管路に流体を供給し、リセット位置にあるときに、前記供給管路と前記流体バイパス路とを通る流体の流れを遮断し、除去位置にあるときに、前記流体供給路が、前記パイロット作動式リリーフ弁の上流で前記流体バイパス路と流体的に連通し、前記流体排出路が、前記供給管路と流体的に連通し、前記流体供給路中を流れる流体が前記パイロット作動式リリーフ弁を通って誘導される前記多位置制御弁と
を備えたことを特徴とする流体流量制御弁アセンブリ。
【請求項９】
請求項８に記載の流体流量制御弁アセンブリであって、前記流体バイパス路中に配置され、上流側端部と下流側端部とを有するベンチュリノズルを有し、前記流体排出路が、前記ベンチュリノズルを流れる流体が前記流体排出路中の圧力を下げるように、前記ベンチュリノズルの前記下流側端部の近くで前記流体バイパス路と交差し、前記多位置制御弁の前記除去位置で、前記流体供給路中を流れる流体が、前記パイロット作動式リリーフ弁中に、そして前記ベンチュリ入口を通って前記ベンチュリノズル中に誘導され、前記流体排出路を通って流体を前記供給管路の外に汲み出すことを特徴とする流体流量制御弁アセンブリ。
【請求項１０】
請求項９に記載の流体流量制御弁アセンブリであって、前記パイロット作動式リリーフ弁が前記流体バイパス路中の前記ベンチュリノズルの上流に配置され、前記パイロット作動式リリーフ弁の上流の流体圧力が所定のレベルを超えたときに、前記パイロット作動式リリーフ弁が開いて前記ベンチュリノズル中を流体が流れることができるようにすることを特徴とする流体流量制御弁アセンブリ。
【請求項１１】
請求項８に記載の流体流量制御弁アセンブリであって、前記弁体が少なくとも二つの部分で構成され、該二つの部分のうちの一つに前記ベンチュリノズルが配置され、他の一つに前記パイロット作動式リリーフ弁が配置されること特徴とする流体流制御弁アセンブリ。
【請求項１２】
請求項８に記載の流体流量制御弁アセンブリであって、前記弁体がインターフェース面を有し、前記流体供給路が、該インターフェース面上に開口した出口端部を有し、前記流体排出路が、前記インターフェース面上に開口した入口端部を有し、前記流体バイパス路が、前記インターフェース面上に開口した入口を有することを特徴とする流体流量制御弁アセンブリ。
【請求項１３】
請求項８に記載の流体流量制御弁アセンブリであって、前記パイロット作動式リリーフ弁が、該パイロット作動式リリーフ弁の上流で前記流体バイパス路と流体的に連通しているパイロット管路を有し、該パイロット作動式リリーフ弁は、該パイロット作動式リリーフ弁の前記パイロット管路中の流体圧力が所定のレベルに達したときに開き、前記パイロット作動式装填保持逆止め弁の前記パイロット管路中の流体圧力の前記所定のレベルが、前記パイロット作動式リリーフ弁の前記パイロット管路中の流体圧力の前記所定のレベルより低く、その結果、前記パイロット作動式装填保持逆止め弁が前記パイロット作動式リリーフ弁より前に開くことを特徴とする流体流量制御弁アセンブリ。
【請求項１４】
供給管路を通りシリンダに流れる流体流を制御するための流体流量制御弁アセンブリであって、
流体供給路、流体排出路及び流体バイパス路を有する弁体と、
前記供給管路中に配置され、前記流体バイパス路と流体的に連通しているパイロット管路を有するパイロット作動式装填保持逆止め弁であって、多位置制御弁が前記除去位置にあるとき、前記逆止め弁パイロット管路中の流体圧力が所定のレベルより大きくなるまで、前記装填保持逆止め弁が、流体が前記供給管路から流出することを遮断するパイロット作動式装填保持逆止め弁と、
前記流体バイパス路中に配置されたパイロット作動式リリーフ弁であって、該流体バイパス路を遮断して、前記パイロット作動式リリーフ弁の上流に圧力を生じさせ、前記パイロット作動式装填保持逆止め弁を動作させるパイロット作動式リリーフ弁と、
前記供給管路中の流体の流れを制御する前記多位置制御弁であって、装填位置にあるときに、前記流体供給路が前記供給管路と流体的に連通して該供給管路に流体を供給し、リセット位置にあるときに、前記供給管路と前記流体バイパス路とを通る流体の流れを遮断し、除去位置にあるときに、前記流体供給路が、前記パイロット作動式リリーフ弁の上流で前記流体バイパス路と流体的に連通し、前記流体排出路が、前記供給管路と流体的に連通し、前記流体供給路中を流れる流体が前記パイロット作動式リリーフ弁を通って誘導される前記多位置制御弁と、
前記流体バイパス路中に配置され、上流側端部と下流側端部とを有するベンチュリノズルであって、前記流体排出路が、前記ベンチュリノズルを流れる流体が前記流体排出路中の圧力を下げるように、前記ベンチュリノズルの前記下流側端部の近くで前記流体バイパス路と交差し、前記多位置制御弁の前記除去位置で、前記流体供給路中を流れる流体が、前記パイロット作動式リリーフ弁中に、そして前記ベンチュリ入口を通って前記ベンチュリノズル中に誘導され、前記流体排出路を通って流体を前記供給管路の外に汲み出すベンチュリノズルと
を備えたことを特徴とする流体流量制御弁アセンブリ。
【請求項１５】
請求項１４に記載の流体流量制御弁アセンブリであって、前記パイロット作動式リリーフ弁が前記流体バイパス路中の前記ベンチュリノズルの上流に配置され、前記パイロット作動式リリーフ弁の上流の流体圧力が所定のレベルを超えたときに、前記パイロット作動式リリーフ弁が開いて前記ベンチュリノズル中を流体が流れることができるようにすることを特徴とする流体流量制御弁アセンブリ。
【請求項１６】
請求項１４に記載の流体流量制御弁アセンブリであって、前記弁体が少なくとも二つの部分で構成され、該二つの部分のうちの一つに前記ベンチュリノズルが配置され、他の一つに前記パイロット作動式リリーフ弁が配置されること特徴とする流体流制御弁アセンブリ。
【請求項１７】
請求項１４に記載の流体流量制御弁アセンブリであって、前記弁体がインターフェース面を有し、前記流体供給路が、該インターフェース面上に開口した出口端部を有し、前記流体排出路が、前記インターフェース面上に開口した入口端部を有し、前記流体バイパス路が、前記インターフェース面上に開口した入口を有することを特徴とする流体流量制御弁アセンブリ。
【請求項１８】
請求項１４に記載の流体流量制御弁アセンブリであって、前記パイロット作動式リリーフ弁が、該パイロット作動式リリーフ弁の上流で前記流体バイパス路と流体的に連通しているパイロット管路を有し、該パイロット作動式リリーフ弁は、該パイロット作動式リリーフ弁の前記パイロット管路中の流体圧力が所定のレベルに達したときに開き、前記パイロット作動式装填保持逆止め弁の前記パイロット管路中の流体圧力の前記所定のレベルが、前記パイロット作動式リリーフ弁の前記パイロット管路中の流体圧力の前記所定のレベルより低く、その結果、前記パイロット作動式装填保持逆止め弁が前記パイロット作動式リリーフ弁より前に開くことを特徴とする流体流量制御弁アセンブリ。
【発明の詳細な説明】
【技術分野】
【０００１】
関連出願への相互参照。
適用なし。
【０００２】
政府資金による研究に関する陳述
適用なし。
【０００３】
本発明は制御弁に係り、特に、独立したフィードバック圧力を有する流量制御弁アセンブリに関する。
【背景技術】
【０００４】
流量制御弁アセンブリは、油圧油、空気等の流体のシリンダ中への及びシリンダからの流れを、ラムを伸ばしたり引き込ませたりするように制御するために一般的に用いられる。この制御弁アセンブリは、典型的には、流体をシリンダに供給する流体供給路と、流体をシリンダから排出する流体排出路とを有する。通路を通る流体の流れを制御する多位置弁を設けることが可能である。
【０００５】
単動シリンダを操作するための周知の流量制御弁が、米国特許第４，８２３，５５０号に開示されている。この制御弁アセンブリは、手動操作可能な回転多位置流量制御弁を含む。この回転多位置流量制御弁は、弁ブロックを介して形成された流体供給路及び流体排出路を通る流体の流れを制御する。制御ブロック中に形成された流体バイパス路は、ベンチュリノズルを有する。流体排出路は、ベンチュリノズルの下流で流体バイパス路と交差し、その結果、ベンチュリノズルを介して汲み出された流体により、流体は急速にシリンダの外部に汲み出される。
【０００６】
手動で操作可能な回転多位置流量制御弁は、弁ブロック中の通路を通る流体の流れを制御する。そして、装填位置、保持位置及び除去位置の３つの位置を有する。装填位置においては、流体は制御弁を介してシリンダ中に汲み入れられる。保持位置においては、シリンダの内側と外側への全ての流れを制御弁が阻止する。最後に、除去位置においては、制御弁は流体をベンチュリノズルを通るように誘導し、流体がシリンダから流れ出すようにする。この特許に開示された実施の一形態においては、流体がシリンダから流出するのを阻止する逆止め弁が、ベンチュリノズルに誘導された流体に応答して開かれる。
【０００７】
リセット位置で流量制御弁を用いてシリンダ中に流体を保持することができるパイロット作動式逆止め弁と協同して電気又は空気圧作動式流量制御弁を用いてシリンダを制御することがしばしば望ましい。パイロット作動式逆止め弁は、パイロット管路を有し、このパイロット管路中のフィードバック圧力に応答して開く。都合が悪いことに、上記制御弁アセンブリは、流量制御弁の位置とは独立してフィードバック圧力を提供することはない。したがって、リセット位置で流量制御弁を用いてシリンダ中の流体を保持することができるパイロット作動式逆止め弁と協同して、電気又は空気圧作動式流量制御弁を用いて制御弁アセンブリを操作することはできない。したがって、リセット位置で流量制御弁を用いてシリンダ中の流体を保持することができるパイロット作動式逆止め弁と協同して、電気又は空気圧作動式流量制御弁を用いてシリンダを制御することができる制御弁アセンブリに対する需要が存在する。
【発明の開示】
【課題を解決するための手段】
【０００８】
本発明は、電気又は空気圧作動式流量制御弁を用いて動作させることのできる流量制御弁アセンブリを提供する。この流量制御弁アセンブリは、流体供給路と、流体排出路と、流体バイパス路とを有する弁体を備えている。パイロット作動式リリーフ弁が流体バイパス路中に設けられ、そこでパイロット作動式リリーフ弁は流体バイパス路を塞ぎ、パイロット作動式リリーフ弁の上流に圧力を生じ、パイロット作動式リリーフ弁の上流の流体バイパス路に流体により連絡しているパイロット管路を有する別のパイロット作動式装置を動作させる。実施の一形態においては、ベンチュリノズルが流体バイパス路中に配置され、ベンチュリノズルは上流側端部と下流側端部とを有し、ベンチュリノズルの下流側端部の近くで流体排出路が流体バイパス路と交差して、ベンチュリノズルを介して流れる流体が、流体排出路中の圧力を下げる。
【０００９】
本発明の一般的な目的は、パイロット作動式装置を作動させることのできる流量制御弁アセンブリを提供することである。この目的は、通路を塞いで、パイロット作動式装置を作動させる圧力を生成するパイロット作動式リリーフ弁を提供することにより達成される。
【００１０】
本発明の別の目的は、流体を急速に流体バイパス路から汲み出すことができる流体制御弁アセンブリを提供することである。この目的は、流体排出路と交差する流体バイパス路中にベンチュリノズルを設けることにより達成される。その結果、ベンチュリノズル中を流れる流体が、流体排出路中の圧力を下げる。
【００１１】
本発明の前述した及びその他の目的と利点は、以下の説明から明らかとなるであろう。説明においては、本明細書の一部を構成する添付の図面を参照し、図面中には、本発明の好ましい実施の形態が図示される。
【発明を実施するための最良の形態】
【００１２】
図１に示すように、単動流体シリンダ１２を作動させる流体回路１０は、シリンダ１２から流体を排出する供給管路１８を介して流体の流れを制御するフィードバック圧力を提供するパイロット作動式リリーフ弁１６を有する制御弁アセンブリ１４を備えている。この制御弁アセンブリは、シリンダ１２の中と外へ流体を誘導する多位置流量制御弁と、シリンダ１２から流体を汲み出すベンチュリノズルを有する弁ブロックアセンブリ１９とを有する。制御弁アセンブリ１４と流体的に連通しているポンプ２８は、制御弁アセンブリ１４を介して流体を汲み上げてシリンダ１２に供給し、ベンチュリノズル２４を介して流体をシリンダ１２からくみ出す。パイロット作動式リリーフ弁１６は、制御弁アセンブリ１４を通る流体の流れを遮って、多位置流量制御弁２６とは独立してフィードバック圧力を提供する。
【００１３】
ポンプ２８は、制御弁アセンブリ１４を介してシリンダ１２に流体を供給し、油圧油、空気等の流体を収容するリザーバ３０と流体的に連通している取入れ口（不図示）を備えている。流体は、リザーバ３０からポンプ取入れ口を介して汲み出され、ポンプ２８により、制御弁アセンブリ１４に排出口を介して放出される。ポンプ２８は、ピストンポンプ、渦巻きポンプ等の当該技術分野で公知のどのようなタイプのポンプでもよい。
【００１４】
単動流体シリンダ１２は、ハウジング３４中に摺動可能に収容されたラム３２を有する油圧又は空気圧シリンダ等の当該技術分野で公知のどのようなタイプのシリンダでもよい。シリンダ１２は、ハウジング３４の一端に流体をポンプで送り入れ、ラム３２の一端をハウジング３４から伸長位置に付勢することにより動作させられる。流体がシリンダ１２から出ることを許すことにより、ラム３２がその元々の位置に、即ち別の引きこもり位置に戻ることができる。
【００１５】
シリンダ１２が動作させられラム３２が伸長されたときに、供給管路１８がシリンダ１２に流体を供給し、ラム３２が引き込ませられたときに、流体をシリンダ１２から排出する。図１に示した流体回路１０中に示されるように、供給管路１８は、シリンダ１２に接続された一端部３６と、制御弁アセンブリ１４の多位置制御弁２６と流体的に連通している対向端部３８とを有する。
【００１６】
図１乃至図８を参照すると、制御弁アセンブリ１４は、シリンダ１２とリザーバ３０との間の流体の流れを制御し、上部弁ブロック２１と下部弁ブロック２２とを有する弁ブロックアセンブリ１９を備えている。多位置流量制御弁２６は、下部弁ブロック２２に搭載された上部弁ブロック２１に搭載されている。弁ブロックアセンブリ１９は、一以上の中空でない金属等の材料片で形成されることが望ましい。
【００１７】
多位置流量制御弁２６は、上部弁ブロック２１に搭載され、装填位置４６、リセット位置４８及び除去位置５０の３位置を有する。多位置流量制御弁２６は、本発明の範囲から逸脱することなく、回転弁のように手動により、ソレノイドのように電気的に、また油圧又は空気圧のように流体を用いて、作動させることができる。また、多位置流量制御弁２６は、本発明の範囲から逸脱することなく、装填位置及び除去位置の２位置のみ、又は他のシリンダへの流体の流れを制御する３以上の位置のように、どの数の位置を有することもできる。
【００１８】
多位置流量制御弁２６の位置は、供給管路１８、及び下部弁ブロック２２中の通路４４，５２，５４を介して流体の流れを制御する。装填位置４６においては、多位置流量制御弁２６は、下部弁ブロック２２に形成された流体供給路４４から供給管路１８に流体を誘導する。リセット位置４８においては、多位置流量制御弁２６は、供給管路１８の内部及び外部への流体の流れを遮断し、通路４４から流体排出路５２へ流体を誘導する。除去位置５０においては、多位置流量制御弁２６は、供給管路１８から、弁ブロックアセンブリ１９中に形成された流体排出路５２へ流体を誘導し、流体供給路４４から流体バイパス路５４へ流体を誘導する。
【００１９】
弁ブロックアセンブリ１９は、以下に説明するように、供給管路２３、流体供給路４４、流体排出路５２及び流体バイパス路５４の一部を規定する。これらは、多位置流量制御弁２６を介してポンプ２８とシリンダ１２とを流体的に接続して、シリンダ１２を急速にかつ効率的に動作させる。以下に説明するように、それぞれ供給管路及び流体バイパス路２３，５４中の弁４０，１６は、流体バイパス路５４中の圧力に応答して流体の流れを制御する。上部及び下部弁ブロックに形成された弁ブロックアセンブリ１９が示されているが、弁ブロックアセンブリは、本発明の範囲から逸脱することなく、１以上の弁ブロックから形成することができる。また、制御弁アセンブリは、本発明の範囲から逸脱することなく、弁ブロックを用いずに、ホースにより接続された個々の構成要素のような、流体的に接続された個々の構成要素から形成することができる。
【００２０】
上部弁ブロック１９は、シリンダ１２に流体的につながる弁ブロックアセンブリ１９を介して、多位置制御弁２６への供給管路１８の一部を形成する供給管路２３を規定する。ねじにより弁ブロックアセンブリ１９に係合し流体により供給管路２３に連通している軸継ぎ手８４が、パイプ、ホース等の流体導管と連結するようにされ、この流体導管は、シリンダ１２に連結して、供給管路１８の別の部分を形成する。軸継ぎ手８４は、ＮＰＴＦ管用ねじを備え、軸継ぎ手８４を過ぎてから通路２３から流体が漏れ出すのを防止することが望ましい。勿論、Ｏリングやガスケットのような他の封止方法を設けて、軸継ぎ手８４を過ぎてから流体が通路２３から漏れ出すのを防止することが、本発明の範囲を逸脱することなく、可能である。
【００２１】
上部弁ブロック１９中に形成された供給管路２３の一部に配置されたパイロット作動式保持逆止め弁４０が、流体をシリンダ１２の方向に流れられるようにし、流体が供給管路１８を介して排出されるのを防止する。流体が制御弁アセンブリ１４を介して供給されているのではなく、ラム３２が引き込まれることが望ましくない場合には、逆止め弁４０は、供給管路１８中の圧力を維持することが好都合である。
【００２２】
ラム３２を引き込ませることが望ましいときに逆止め弁４０を開くパイロット管路４２を逆止め弁４０は有する。パイロット管路４２は、流体バイパス路５４と流体により連通しており、流体バイパス路５４中の流体圧力が所定のレベルを超えたときに逆止め弁４０を開く。流体バイパス路５４を介して流れている流体が多位置流量制御弁２６により阻止されるまで逆止め弁４０を開き続けることが好都合である。
【００２３】
下部弁ブロック２２は、上部弁ブロック１９中に形成された同一の通路と流体的に連通している供給管路２３、流体供給路４４、流体排出路５２及び流体バイパス路５４を規定する。通路２３，４４，５２，５４は、各辺を貫く穿孔、中ぐり等の当該技術分野で周知の方法を用いて下部弁ブロック２２中に形成させる。下記に説明するように、個々の穴は相互接続され、通路２３，４４，５２，５４を形成する。
【００２４】
図１及び図７乃至図１１に示すように、下部弁ブロック２２は、組み立てを簡易化するために内部インターフェース面６０，６２で結合した上半分５６及び下半分５８から構成され、側面６８により結合された上面６４と底面６６とを有する。上面６４は、各通路４４，５２，５４の一端部に流体的に連結するための外部インターフェース面７０を有する。下部弁ブロック２２を上半分５６と下半分５８に分割することが好ましいが、本発明の範囲を逸脱することなく、下部弁ブロック２２を１以上の部分に形成することができる。
【００２５】
供給管路２３は下部弁ブロック２２を介して形成され、入口端部７３と出口端部７５とを有する。供給管路２３は、外部インターフェース面７０から伸びる縦穴９５を有することが好ましい。弁ブロック下半分５８の側面６８から形成された横穴９６が縦穴９５に交差し、シリンダ１２に連結するための軸継ぎ手８４を収容する。縦穴９５を取り囲み、上半分５６の内部インターフェース面６０に形成された空洞８０をＯリング又は他の型の封止材を収容するために設けることができる。このＯリングは、流体が弁ブロック上半分５６及び下半分５８の内部インターフェース面６０及び６２の間で供給管路２３から漏れ出すことを防止する。
【００２６】
流体供給路４４は、下部弁ブロック２２を貫いて形成され、入口端部７２と出口端部７４とを有する。出口端部７４は外部インターフェース面７０上に開口し、出口端部７４から流出する流体は、多位置流量制御弁２６により制御される。流体供給路４４は、縦穴７６を、下部弁ブロックの底面６６を介して外部インターフェース面７０から弁ブロックの半分５６，５８中に縦穴７６を中ぐりすることにより形成することが好ましい。
【００２７】
流体バイパス路５４も、下部弁ブロック２２を貫いて形成され、入口端部９０と出口端部９２とを有する。入口端部９０は外部インターフェース面７０上に開口し、入口端部９０に流入する流体は多位置流量制御弁２６により制御される。流体バイパス路５４は、外部インターフェース面７０から伸びた第１の傾斜した穴９４を有することが好ましい。弁ブロックの上半分５６の側面６８から形成された横穴９６が、この横穴９６の内端９８で傾斜した穴９４と交差し、パイロット作動式リリーフ弁１６を収容する。弁ブロックの上半分５６の内部インターフェース面６０上に開口している第２の傾斜した穴１００が、横穴９６の内端９８から離れて横穴９６と交差する。第二の傾斜した穴１００を取り巻き、上半分５６の内部インターフェース面６０中に形成された空洞１０２を、Ｏリング１０４又は他の型の封止材を収容するために設けることができる。Ｏリング１０４は、弁ブロックの上半分５６及び下半分５８の内部インターフェース面６０の間の流体バイパス路５４から流体が漏れ出すことを防止する。
【００２８】
弁ブロックの下半分５８中に形成された縦穴１０６が、弁ブロックの下半分５８の内部インターフェース面６２上に開口し、弁ブロックの上半分５６中に形成された第２の傾斜した穴１００と流体的に連通している。この縦穴１０６は、内部インターフェース面６２上に開口した入口１０８と、対向する端部１１０とを有する。下部弁ブロック２２の底面６６から形成された傾斜した穴１１２が、縦穴１０６と交差する一端部１１４を有する。傾斜した穴１１２の反対側の端部１１６は、弁ブロックの底面６６に開口し、流体をリザーバ３０に排出する流体のリザーバ３０と流体的に連通している。
【００２９】
流体排出路５２も下部弁ブロック２２を貫いて形成され、入口端部１１８と出口端部１２０とを有する。入口端部１１８は、外部インターフェース面７０上に開口し、出口端部１２０は、縦穴の反対側の端部１１０の近くで流体バイパス路５４の縦穴１０６と交差する。流体バイパス路５４を通って流れる流体が、流体排出路５２を通って流体を汲み出すことが都合がよい。
【００３０】
パイロット作動式リリーフ弁１６は流体バイパス路５４の横穴９６中に収容され、弁ブロック上半分５６の外部及び内部インターフェース面７０，６０間の流体バイパス路５４を通る流体の流れを制御する。パイロット作動式リリーフ弁１６は、フロリダ州サラソータ（Ｓａｒａｓｏｔａ）のサン・ハイドローリックス（Ｓｕｎ  Ｈｙｄｒａｕｌｉｃｓ）等から購入可能な市販の弁のどれでも使用できる。この弁は、弁入口１２２及び出口１２４間を流れる流体をパイロット管路１２６中の圧力に応じて制御し、流体バイパス路５２中の圧力を維持し、必要に応じて、パイロット作動式負荷保持逆止め弁４０を作動させる。
【００３１】
弁入口１２２は第１の傾斜した穴９４と流体的に連通し、弁出口１２４は第２の傾斜した穴１００と流体的に連通している。パイロット作動式リリーフ弁１６は、横穴９４の内部表面と封止的に係合し、流体が、第１の傾斜した穴９４から弁１６を通って第２の傾斜した穴へ、又は横穴９４を通って下部弁ブロック２２の外部へ、漏れ出すのを防止する。
【００３２】
パイロット管路１２６は、パイロット作動式リリーフ弁１６の一部を形成し、パイロット作動式リリーフ弁１６の入口１２２で開口し、弁入口１２２の流体の圧力を検出する。パイロット作動式リリーフ弁１６は、パイロット管路１２６中の圧力が所定のレベルを超えたときに開口する（すなわち、流体が、弁入口と弁出口との間でパイロット作動式リリーフ弁を通って流れることができるようにする）。パイロット作動式リリーフ弁１６は、パイロット管路１２６中の圧力がひとたび所定のレベルを超えるとリリーフ弁１６を開いたままに維持する「キックダウン」特性を有する。また、パイロット作動式リリーフ弁１６は、流体バイパス路５４を通る流れが他の弁又は他の遮断物により遮断されるまで、リセットされない（すなわち、弁入口と弁出口との間のパイロット作動式リリーフ弁を通る流体の流れを遮断しない）。
【００３３】
ベンチュリノズル２４は流体バイパス路の縦穴７６に収容され、流体をリザーバ３０に排出する流体バイパス路５４中に流体排出路５２を介して流体を汲み出す。ベンチュリノズル２４は、縦穴１０６の入口１０８の近くの入口端部１２８と、縦穴１０６の出口１１０に近い出口端部１３０とを有する。流体バイパス路５４を流れる流体が、ベンチュリノズル入口端部１２８を通ってベンチュリノズル２４へ入り、ベンチュリノズル出口端部１３０を通ってベンチュリノズル２４を出て、ベンチュリノズル出口端部１３０に近い流体バイパス路５４と交差する流体排出路５２中の圧力を下げ、流体排出路５２中の流体を流体バイパス路５４中に汲み出す。
【００３４】
使用中、シリンダ１２は、多位置流量制御弁２６を装填位置４６に移動することにより動作させられ、ポンプ２８を動作させる。ポンプ２８は、下部弁ブロック２２中の流体供給路４４を通り、多位置流量制御弁２６を通り、パイロット作動式装填保持逆止め弁４０を通り過ぎ、リザーバ３０から供給管路１８に流体を汲み出す。汲み出された流体は、シリンダハウジング３４中に流れ、ラム３２を伸長位置に付勢する。
【００３５】
ラム３２の伸長は、ポンプ２８を止めて、流体供給路４４を通る流体の流れを停止することにより止められる。パイロット作動式装填保持逆止め弁４０は、流体が意図せずにシリンダ１２から供給管路１８を通って排出されるのを防止するが、多位置流量制御弁２６がリセット位置４８に移動し、流体が、流体供給路４４を通ってポンプ排出口に逆流することを防止することが好ましい。
【００３６】
ポンプ２８を作動させ、多位置流量制御弁２６を除去位置に移動させることにより、ラム３２をシリンダハウジング３４中に引き込ませる。ポンプ２８が流体をリザーバ３０から汲み出し、多位置流量制御弁２６を介し、流体供給路４４中へ、そして流体バイパス路５４中へ送り出す。パイロット作動式リリーフ弁１６が流体バイパス路５４中の流体の流れを遮断し、流体バイパス路５４中の圧力を上昇させる。流体バイパス路５４中の圧力、そしてそれにより、パイロット作動式装填保持逆止め弁４０の一部を構成するパイロット管路４２の圧力が、いったんパイロット作動式装填保持逆止め弁４０の所定の作動レベルに達すると、逆止め弁４０が開いて、シリンダ１２及び供給管路１８中の流体が、多位置流量制御弁２６を通って流体排出路５２中に流れることができるようにする。パイロット作動式装填保持逆止め弁４０がいったん開き、パイロット作動式リリーフ弁１６の一部を形成するパイロット管路１２６中の圧力が、パイロット作動式装填保持逆止め弁４０の所定の作動レベルよりも高いパイロット作動式リリーフ弁１６の所定の作動レベルに達すると、パイロット作動式リリーフ弁１６が開いて流体バイパス路５４中の圧力を減じ、流体を流体供給路４４中に汲み出して、ベンチュリノズル２４を通って流れることができるようにし、流体を流体排出路５２を通ってシリンダ１２から汲み出す。装填保持逆止め弁４０とリリーフ弁１６とを、弁１６，４０を通る流体の流れが、流体バイパス路５４中の圧力とは無関係に停止するまで、開いておくことが好都合である。
【００３７】
装填保持逆止め弁４０とリリーフ弁１６とは、多位置流量制御弁２６を、流体が装填保持逆止め弁４０及びリリーフ弁１６を通って流れるのを遮断するリセット位置に移動させることにより、リセットされる（即ち、流体の流れを遮断するように閉じる）。リセット位置４８においては、多位置流量制御弁２６が、ポンプ２８により流体供給路４４中に汲み出される流体を流体排出路５２中に誘導することが好都合である。流体排出路５２は、ベンチュリノズル２４の下流の流体バイパス路５４中に排出し、リザーバ３０中に戻り、下部弁ブロック２２中の圧力が上がり、ポンプ２８に連結する管路が下部弁ブロック２２に連結されるのを回避する。勿論、多位置流量制御弁２６がリセット位置４８にあるとき、ポンプ２８を停止して、下部弁ブロック２２中で圧力が上がり、ポンプ２８に連結する管路が下部弁ブロック２２に連結することを防止することができる。
【００３８】
目下本発明の好ましい実施の形態と考えられているものを示し説明したが、当業者にとって、添付の特許請求の範囲に規定する本発明の範囲を逸脱することなく、実施の形態の種々の変更と修正をなすことが可能であることが明白であろう。したがって、本発明として考えられる発明の要旨を特別に摘示し請求する特許請求の範囲の範囲内に、種々の変形や具体化が入ると考えられる。
【図面の簡単な説明】
【００３９】
【図１】本発明を具体化する制御弁アセンブリの流体回路図である。
【図２】図１の制御弁アセンブリの正面図である。
【図３】図２の３-３線から見た断面図である。
【図４】図２の４-４線から見た断面図である。
【図５】図２の５-５線から見た断面図である。
【図６】図２の６-６線から見た断面図である。
【図７】図２の制御弁アセンブリの底面図である。
【図８】８ａ−８ａ線及び８ｂ−８ｂ線から見た複合断面図である。
【図９】図２の下部弁ブロックの側面図である。
【図１０】図９の１０-１０線から見た断面図である。
【図１１】図９の下部弁ブロックの平面図である。
【符号の説明】
【００４０】
１０    流体回路
１２    シリンダ
１４    制御弁アセンブリ
１６    パイロット作動式リリーフ弁
１８    供給管路
１９    弁ブロックアセンブリ
２１    上部弁ブロック
２２    下部弁ブロック
２３、４４、５２、５４    通路
２４    ベンチュリノズル
２６    多位置流量制御弁
２８    ポンプ
３０    リザーバ
３２    ラム
３４    ハウジング
３６、３８    端部
４０    パイロット作動式保持逆止め弁
４２    パイロット管路
４６    装填位置
４８    リセット位置
５０    除去位置
５６    上半分
５８    下半分
６０、６２    内部インターフェース面
６４    上面
６６    底面
６８    側面
７０    外部インターフェース面
７２、７３、９０、１１８    入口端部
７４、７５、９２、１２０    出口端部
７６    縦穴
８０    空洞
８４    軸継ぎ手
９４    第１の傾斜した穴
９５    縦穴
９６    横穴
９８    内端
１００    第２の傾斜した穴
１０２    空洞
１０４    Ｏリング
１０６    縦穴
１０８    入口
１１０、１１４、１１６    端部
１１２    傾斜した穴
１２２    弁入口
１２４    弁出口
１２６    パイロット管路
１２８    入口端部
１３０    出口端部
【図１】
2007502957.tif 000003
【図２】
2007502957.tif 000004
【図３】
2007502957.tif 000005
【図４】
2007502957.tif 000006
【図５】
2007502957.tif 000007
【図６】
2007502957.tif 000008
【図７】
2007502957.tif 000009
【図８】
2007502957.tif 000010
【図９】
2007502957.tif 000011
【図１０】
2007502957.tif 000012
【図１１】
2007502957.tif 000013
【国際調査報告】
2007502957.tif 000014
2007502957.tif 000015